【事件の表示】
　平成　７年特許願第２２３６３４号「光走査装置」拒絶査定不服審判事件〔平成　９年　３月１１日出願公開、特開平　９−　６８６６６〕について、次のとおり審決する。
【結　論】
　本件審判の請求は、成り立たない。
【理　由】
１．手続の経緯  
　本願は、平成７年８月３１日の出願であって、平成１６年１０月２７日付で拒絶査定がなされ、これに対し同年１２月２日に拒絶査定に対する審判請求がなされたものである。　  
　  
２．本願発明　  
　本願の請求項に係る発明は、明細書及び図面の記載からみて、その特許請求の範囲の請求項１〜１１に記載された事項によって特定されるものと認められるところ、請求項１に係る発明は次のものである。　  
　 
「【請求項１】　光ビームを発生する光源と、該光ビームを入射させ振動により該光ビームを偏向・出射させる偏向ミラーと、を備えた光走査装置において、
　該偏向ミラーの振動により該光ビームの偏向角が所定の角度に達したとき、角度検出信号を出力する角度検出信号発生手段と、　
　該角度検出信号に応じて発生させた偏向ミラーの振動周期に同期する基準信号に基づき、該基準信号を逓倍して微小角信号を発生させる微小角信号発生手段と、　
　該微小角信号と前記光ビームの特定の振れ角を示す角度信号を入力し、前記角度検出信号発生手段が発生した角度検出信号の間を補間する偏向角補間信号を、光源の発光タイミング信号として発生する偏向角補間信号発生手段と、　
　を備えたことを特徴とする光走査装置。」（以下、「本願発明」という。）   
　  
３．引用刊行物記載の発明　  
　原査定の拒絶理由において引用された特開昭６２−２３１９２３号公報（以下、「引用刊行物」という。）には、図面とともに次の事項が記載されている。　  
　  
（ア）「２．特許請求の範囲　
　ガルバノミラー光学系における平面走査による光スポットの走査速度補正装置において該補正装置は光ビームを受けて位置信号を出力するセンサーと、該センサーの信号を入力するＰ．Ｌ．Ｌ．回路と、該Ｐ．Ｌ．Ｌ．回路の出力を入力とするＲＯＭアドレスカウンタと、該ＲＯＭアドレスカウンタの出力を入力とする補正用パターンジェネレータＲＯＭと、該補正用パターンジェネレータＲＯＭからの出力をアナログ信号に変換するＤ／Ａコンバータと、ローパスフィルタと、該ローパスフィルタからの信号に応じて発振するＶＣＯより成ることを特徴とするガルバノミラー光学系における走査速度補正装置。」（１頁左欄５行〜１８行）　　  
　 
（イ）「〔実施例〕　
　以下図面に基づいて本発明の好適な実施例を説明する。　
　第１図は本発明に係る速度補正方式が適用されたガルバノミラー光学系走査方式の回路ブロック図が示されている。以下にこの図のブロックに従って説明する。第２図はガルバノミラーの動きとホームセンサ（Ｈ／Ｓ）の説明図である。　
　第１図の１１はＰ．Ｌ．Ｌ．回路である。第２図の２３は平面スクリーンの片端に設置されたホームセンサで、光ビーム２２が通過したときホームセンサ信号波形２６、２７を発生し、ガルバノミラー２１の動きはガルバノミラー位相軌跡２５を描く。このうちホームセンサ信号波形２６をＨ／Ｓ2ｎｄと称する。このＨ／Ｓ2ｎｄをＰ．Ｌ．Ｌ．回路１１の入力信号とする。Ｐ．Ｌ．Ｌ．回路１１はこのＨ／Ｓ2ｎｄを入力しこのＨ／Ｓ2ｎｄに同期し、且倍周したクロックＡを発生する回路である。光ビーム２２は平面スクリーン２４を走査して記録する場合、情報はホームセンサ２３の位置から書き始めるため、この位置に対して正確に同期がとられる必要があるためである。　
　第３図はＨ／Ｓ2ｎｄとＰ．Ｌ．Ｌ．回路１１の出力の位相関係を示すタイミングチャートで、2ｎｄとＰ．Ｌ．Ｌ．回路１１の出力信号は立下がりエッジで同期がとられ、かつ倍周されている状態を示している。　
　１２はＲＯＭアドレスカウンタで、Ｐ．Ｌ．Ｌ．回路１１から出力されたＨ／Ｓ2ｎｄに同期し、且倍周されたクロックＡが入力される。ＲＯＭアドレスカウンタ１２は単なるバイナリーカウンタでその出力はさらに続くＲＯＭのアドレス選択ラインに接続される。　
　１３は補正用パターンジェネレータＲＯＭで、この中に速度補正を行なうデータが格納されている。表は補正用パターンジェネレータＲＯＭ１３のアドレスと格納データの例である。ＲＯＭアドレス０から格納データは徐々に増し、ある所から逆に減少していく、その様子をグラフに表わしたものが第５図である。ここで補正用パターンジェネレータＲＯＭ１３の値とＲＯＭアドレスの関係は、平面スクリーン２４における光ビームスポット即ち画素の周波数と、平面スクリーン位置の関係を表わす。ＲＯＭの値（即ち速度補正のためのデータ）は光ビーム２２が平面を走査する運動方程式から以下の様に求められる。　
　第６図においてガルバノミラーの動きはθ＝θｍｓｉｎ（ωｇｔ）で表わされる。又平面上のビーム走査量ｘは、ｘ＝Ｌｔａｎθで表わされる。　
・・・（中略）・・・　
従って、平面上のビーム走査の単位画素の大きさをＤとしたとき、ビームの点滅周波数はｆ＝ｄｘ／ｄｔ／Ｄで表わされる。さらに回路上のゲインをＧとすると補正用パターンジェネレータＲＯＭ１３に収納されるデータ（Ｒ）はＲ＝ｆＧとして作成され格納される。このデータの１例は先に表に示したものである。　
　１４は補正用パターンジェネレータＲＯＭ１３から出力された、デジタル値（速度補正データ）をアナログ値に変換するＤ／Ａコンバータである。その出力プロファイルのタイミングを第４図のＢに示す。１５はＤ／Ａコンバータ出力からの高周波ノイズをカットし、かつＤ／Ａコンバータ１４の出力を平滑するローパスフィルタである。　
１６はＶＣＯ（　Ｖｏｌｔａｇｅ　Ｃｏｎｔｒｏｌｌｅｄ　Ｏｓｃｉｌａｔｏｒ）であり、第４図に示す様に補正パターンプロファイルＢの如き電圧波形が加えられると、その電圧に比例した周波数のクロックが第４図Ｃに示す如く出力される。即ちこのクロック（ラバークロックと称する。）が速度補正のクロックである。　
　第７図は補正前と補正後のスポットの状態を比較するための説明図で補正を行なわない時の平面画素スポット８３は、等間隔な画素に補正され画素スポット８４の様になる。第８図はＶＣＯ回路の例を示す回路図である。この例はエミッタ結合形マルチバイブレータ式ＶＣＯである。同図で常にＱ1かＱ2のどちらかはＯＮの状態にあり、タイミングコンデンサＣＯは入力電圧即ち、制御電圧Ｖｄによって決まる一定電流値Ｉ0によって充放電を繰り返し、出力よりＶｄに比例した発振波形を得る事が出来る。第９図は第８図の入力電圧と出力周波数の関係の１例を示すグラフである。　
　１７は半導体レーザーをＯＮ、ＯＦＦさせるレーザー光ＯＮ／ＯＦＦスイッチ回路で第１０図の如くスイッチングトランジスタＱ1 １１１のベースにバイアスとなる電位を与える事でスイッチングトランジスタ１１１にスイッチ動作をさせ、同時に半導体レーザーダイオード１１２をスイッチする回路の例である。１１３は電流コントロール用トランジスタである。」（２頁左上欄５行〜３頁右上欄１９行）　 
　 
（ウ）「〔発明の効果〕　
　以上説明したように、本発明によれば、ガルバノミラー光学系における走査速度補正には、設計上にも製造上にも高価なレンズを用いる事なく、電子回路技術によって補正を行ない、又、画素処理の仕様変更に共なう光路の変更に際しても、補正用パターンジェネレータＲＯＭを交換する事で簡単に対応出来るという効果がある。」　
　
（エ）第１図から、ＲＯＭアドレスカウンタ１２のＲｅｓｅｔにはＨ／Ｓ2ｎｄの信号が入力されていることが見て取れる。そして、当該見て取れる事項及び摘記（イ）の「光ビーム２２は平面スクリーン２４を走査して記録する場合、情報はホームセンサ２３の位置から書き始めるため、この位置に対して正確に同期がとられる必要があるためである。　
　第３図はＨ／Ｓ2ｎｄとＰ．Ｌ．Ｌ．回路１１の出力の位相関係を示すタイミングチャートで、2ｎｄとＰ．Ｌ．Ｌ．回路１１の出力信号は立下がりエッジで同期がとられ、かつ倍周されている状態を示している。　
　１２はＲＯＭアドレスカウンタで、Ｐ．Ｌ．Ｌ．回路１１から出力されたＨ／Ｓ2ｎｄに同期し、且倍周されたクロックＡが入力される。ＲＯＭアドレスカウンタ１２は単なるバイナリーカウンタでその出力はさらに続くＲＯＭのアドレス選択ラインに接続される。」の記載から見て、上記Ｒｅｓｅｔの信号は、書き始め位置ごとにリセットするための信号であると認められる。
  　
（オ）第１図から、ＶＣＯ１６は光ＯＮ／ＯＦＦ回路１７とつながっており、ＶＣＯ１６と光ＯＮ／ＯＦＦ回路１７を結ぶ線から「Ｃ」に向かう曲線が延びていることが見て取れ、また、第４図には、ラバークロックＣ（ＶＣＯ出力）として、その間隔が粗い部分と密な部分がある複数の線が見て取れる。これらの見て取れる事項及び摘記（イ）の「１７は半導体レーザーをＯＮ、ＯＦＦさせるレーザー光ＯＮ／ＯＦＦスイッチ回路で第１０図の如くスイッチングトランジスタＱ1 １１１のベースにバイアスとなる電位を与える事でスイッチングトランジスタ１１１にスイッチ動作をさせ、同時に半導体レーザーダイオード１１２をスイッチする回路の例である。」の記載から見て、ＶＣＯ１６から光ＯＮ／ＯＦＦ回路１７にはラバークロックＣが出力され、そのラバークロックＣを用いて半導体レーザをＯＮ／ＯＦＦさせていると認められる。
　
　上記（ア）〜（オ）によれば、引用刊行物には、次の発明（以下、「引用発明」という。）が記載されていると認められる。  
　  
「動きがθ＝θｍｓｉｎ（ωｇｔ）で表わされるガルバノミラー光学系における平面走査による光スポットの走査速度補正装置において該補正装置は　
　光ビームを受けて位置信号を出力するホームセンサーと、　
　該ホームセンサーの信号を入力するＰ．Ｌ．Ｌ．回路と、　
　該Ｐ．Ｌ．Ｌ．回路の出力を入力とするＲＯＭアドレスカウンタと、　
　該ＲＯＭアドレスカウンタの出力を入力とする補正用パターンジェネレータＲＯＭと、　
　該補正用パターンジェネレータＲＯＭからの出力をアナログ信号に変換するＤ／Ａコンバータと、　
　ローパスフィルタと、　
　該ローパスフィルタからの信号に応じて発振するＶＣＯより成り、　
　該ホームセンサは、光ビームが通過したときホームセンサ信号波形Ｈ／Ｓ2ｎｄを発生し、　
　該Ｐ．Ｌ．Ｌ．回路は該ホームセンサ信号波形Ｈ／Ｓ2ｎｄを入力し、光ビームが平面スクリーンを走査して記録する場合、情報は該ホームセンサの位置から書き始めるため、この位置に対して正確に同期がとられる必要があるため、該ホームセンサ信号波形Ｈ／Ｓ2ｎｄに同期し、且倍周したクロックＡを発生し、　
　該ＲＯＭアドレスカウンタには、該Ｐ．Ｌ．Ｌ．回路から出力されたクロックＡ及び書き始め位置ごとにリセットするためのＨ／Ｓ2ｎｄ信号が入力され、該ＲＯＭアドレスカウンタは単なるバイナリーカウンタでその出力はさらに続くＲＯＭのアドレス選択ラインに接続され、　
　該補正用パターンジェネレータＲＯＭには速度補正を行なうデータが格納されており、　
　該Ｄ／Ａコンバータによって、該補正用パターンジェネレータＲＯＭから出力された、デジタル値（速度補正データ）をアナログ値に変換し、　
　該ローパスフィルタによって、Ｄ／Ａコンバータ出力からの高周波ノイズをカットし、かつＤ／Ａコンバータの出力を平滑にし、　
　補正パターンプロファイルの如き電圧波形が加えられると、ＶＣＯ（　Ｖｏｌｔａｇｅ　Ｃｏｎｔｒｏｌｌｅｄ　Ｏｓｃｉｌａｔｏｒ）によって、その電圧に比例した周波数のクロック（ラバークロックと称する。）を出力し、　
　該ラバークロックを用いて半導体レーザをＯＮ／ＯＦＦすることにより、
　画素スポットを等間隔な画素に補正している　
　ガルバノミラー光学系における走査速度補正装置」　  
　　 　  
４．対比・判断　  
　本願発明と引用発明を対比する。　  
　  
（ａ）引用発明の「光ビーム」、「ガルバノミラー」、「ホームセンサ」、「ホームセンサ信号波形Ｈ／Ｓ2ｎｄ」及び「半導体レーザ」が、それぞれ本願発明の「光ビーム」、「偏向ミラー」、「角度検出信号発生手段」、「角度検出信号」及び「光源」に相当する。　  
　　  
（ｂ）引用発明は「走査速度補正装置」であるが、光を走査していることは自明であり、「光走査装置」であることは明らかである。  
　
（ｃ）引用発明の「ガルバノミラー」は「動きがθ＝θｍｓｉｎ（ωｇｔ）で表わされる」ことから、本願発明の「光ビームを入射させ振動により該光ビームを偏向・出射させる」との技術事項を有することは明らかである。　
　
（ｄ）引用発明において「該Ｐ．Ｌ．Ｌ．回路は該ホームセンサ信号波形Ｈ／Ｓ2ｎｄを入力し、・・・　該ホームセンサ信号波形Ｈ／Ｓ2ｎｄに同期し、且倍周したクロックＡを発生し」ていることから、「Ｐ．Ｌ．Ｌ．回路」及び「クロックＡ」が、それぞれ本願発明の「微小角信号発生手段」及び「微小角信号」に相当し、引用発明は、本願発明の「該角度検出信号に応じて発生させた偏向ミラーの振動周期に同期する基準信号に基づき、該基準信号を逓倍して微小角信号を発生させる」との技術事項を有しているということができる。　
　
（ｅ）引用発明では「該ラバークロックを用いて半導体レーザをＯＮ／ＯＦＦすることにより」、レーザ光を発光させているので、「ラバークロック」は「光源の発光タイミング信号」であることは明らかであり、その点で本願発明の「偏向角補間信号」との差異はない。　
　
（ｆ）引用発明は、ＲＯＭアドレスカウンタにクロックＡ及びＨ／Ｓ2ｎｄ信号が入力されており、ここで「クロックＡ」は、前述のとおり本願発明の「微小角信号」に相当し、また、Ｈ／Ｓ2ｎｄ信号はホームセンサの出力であるから、本願発明の「光ビームの特定の振れ角を示す角度信号」に相当する。してみれば、引用発明が本願発明のように「該微小角信号と前記光ビームの特定の振れ角を示す角度信号を入力」するものであることは明らかである。
　
（ｇ）引用発明では「情報は該ホームセンサの位置から書き始める」ことから、ラバークロックは書き始め位置とその次の書き始め位置の間の発光タイミングを規定していることが明らかであるので、「ラバークロック」は本願発明の「前記角度検出信号発生手段が発生した角度検出信号の間を補間する」信号であるとすることが相当である。　
　
（ｈ）上記（ｅ）〜（ｇ）から見て、引用発明の「ラバークロック」は本願発明の「偏向角補間信号」に相当し、引用発明の「ＲＯＭアドレスカウンタ」、「補正用パターンジェネレータＲＯＭ」、「Ｄ／Ａコンバータ」、「ローパスフィルタ」及び「ＶＣＯ」を合わせたものが本願発明の「偏向角補間信号発生手段」に相当するということができる。
　
　よって、両者は、全ての点で一致し、相違するところがないから、両者は同一である。 　
　
５．むすび 　 
　以上のとおり、本願発明は、引用刊行物記載の発明であるから、特許法第２９条第１項第３号に規定する発明に該当し、特許を受けることができない。 
　
　よって、結論のとおり審決する。